(57)【要約】      （修正有）【課題】下座金を隣接させて連続的に打込み位置まで搬送する装置を提供する。【解決手段】衣服用カギホック取付け装置における下座金供給装置である。前記搬送路６は、前記下座金１２を複数枚隣接させて配置するものであり、前記下座金１２を前記搬送路上で１枚分ずつ前進させるものである。前記搬送路６は前方側搬送路６２と後方側搬送路６３に分断され、前記前方側搬送路６２は前記後方側搬送路６３に対して上下動が可能である。前記かしめ工程直前に、前記前後搬送路の境目に位置する２枚の下座金１２を上下動可能なピン８１，８２と係合させることにより位置固定する。【選択図】図７
2012184532.tif 000002
【特許請求の範囲】
【請求項１】
衣服用カギホック取付け装置における下座金供給装置であって、
雄体（１）又は雌体（１Ａ）のいずれかを収容する雄体ホルダ（３）又は雌体ホルダ（３Ａ）と、
前記雄体又は雌体のいずれかを打込み用の作業台（４，４Ａ）に搬送させる搬送シュート（３，３Ａ）と、
下座金（１２，１２Ａ）を収容する下座金ホルダ（５，５Ａ）と、
前記下座金（１２，１２Ａ）を作業台（４，４Ａ）に搬送させる搬送路（６，６Ａ）と、
前記雄体又は雌体のいずれか（１，１Ａ）と前記下座金（１２，１２Ａ）をかしめるハンマー（９，９Ａ）とを有するものにおいて、
前記搬送路（６，６Ａ）は、前記下座金（１２，１２Ａ）を複数枚隣接させて配置するものであり、前記下座金（１２，１２Ａ）を前記搬送路上で１枚分ずつ前進させること、
前記搬送路（６，６Ａ）を前方側搬送路（６２，６２Ａ）と後方側搬送路（６３，６３Ａ）に分断して、前記前方側搬送路（６２，６２Ａ）は前記後方側搬送路（６３，６３Ａ）に対して上下動が可能であること、
前記かしめ工程直前に、前記前後搬送路の境目に位置する２枚の下座金（１２，１２Ａ）を上下動可能なピン（８１，８２）と係合させることにより位置固定すること、
を特徴とする衣服用カギホック取付け装置における下座金供給装置。
【請求項２】
前記下座金（１２）が雄カギホック用のものであり、前記ピン（８１，８２）は前記下座金の中央孔（１３）に挿入されることにより、位置固定されるものである請求項１記載の装置。
【請求項３】
前記下座金（１２Ａ）が雌カギホック用のものであり、前記ピン（８１，８２）は下座金の肩コーナースペース部（１５）に挿入されることにより、位置固定されるものである請求項１記載の装置。
【請求項４】
前記前方側搬送路（６２，６２Ａ）が、前記作業台（４，４Ａ）と一体化して同じ上下動をする請求項１記載の装置。
【発明の詳細な説明】
【技術分野】
【０００１】
本発明は、衣服の開口部を開閉するための雌雄カギホックをこの開口部に取付ける取付け装置に関し、特にカギホックの下座金を供給する装置に関する。
【背景技術】
【０００２】
雌雄カギホックは、下座金に布生地を介して雌体及び雄体を取付けることで構成されている。本願明細書に添付の図１は雄カギホック１を示し、図２は雌カギホック１Ａを示している。雄カギホック１は、雄体１１と下座金１２が、雄体の脚部１４によりかしめられ、雌カギホック１Ａは、雌体１１Ａと下座金１２Ａが、雌体の脚部１４Ａによりかしめられる。
【０００３】
雌雄カギホックを衣服の開口部に取付ける取付け装置としては、例えば実公平７−５４２５４号、特開平７−９０７０８号の技術が公知である。また、下座金を打込み機のホルダに装填する作業を効率のよいものとするために、特開２０１０−９０５１０の技術が公知である。
【発明の概要】
【発明が解決しようとする課題】
【０００４】
前記各従来技術において説明されているように、下座金は筒状の第１のホルダから、雌体／雄体は皿状の第２のホルダから別々に供給され、取付け装置の前面中央部で布生地と共に打付けられて、強固に結合される。下座金は、第１のホルダから１枚ずつ取り出され、座金押し棒により、打込み位置まで搬送される。
【０００５】
この方法では、座金押し棒はホルダ取出し位置から打込み位置までの間を往復動作することになるが、動作に時間がかかると共に非経済的であり、位置決めが不正確になりやすい。
【０００６】
本発明は、下座金を１枚ずつホルダから取り出すようなやり方を止め、下座金を連続的に打込み位置まで搬送する装置を提供することを目的とする。
【課題を解決するための手段】
【０００７】
本発明は、衣服用カギホック取付け装置における下座金供給装置であって、雄体又は雌体のいずれかを収容する雄体又は雌体ホルダと、前記雄体又は雌体のいずれかを打込み用の作業台に搬送させる搬送シュートと、下座金を収容する下座金ホルダと、前記下座金を作業台に搬送させる搬送路と、前記雄体又は雌体のいずれかと前記下座金をかしめるハンマーとを有するものにおいて、前記搬送路は、前記下座金を複数枚隣接させて配置するものであり、前記下座金を前記搬送路上で１枚分ずつ前進させること、前記搬送路を前方側搬送路と後方側搬送路に分断して、前記前方側搬送路は前記後方側搬送路に対して上下動が可能であること、前記かしめ工程直前に、前記搬送路の境目に位置する２枚の下座金を上下動可能なピンにより位置固定することを特徴とする（請求項１）。
【０００８】
前記下座金が雄カギホック用のものであるとき、前記ピンは前記下座金の中央孔に挿入されることにより、位置固定される（請求項２）。
【０００９】
前記下座金が雌カギホック用のものであるとき、前記ピンは下座金の肩コーナースペース部に挿入されることにより、位置固定される（請求項３）。
【００１０】
前記前方側搬送路は、前記作業台と一体化して同じ上下動をするものであることが好ましい（請求項４）。
【発明の効果】
【００１１】
本発明によれば、下座金は、複数枚のものが隣接して順次搬送路に送られるので、長いストロークを有する押し棒が不要となり、動作に無駄がなく、経済的である。また、かしめ工程直前に、搬送路の境目に位置する２枚の下座金を上下動可能なピンにより位置固定されるので、かしめ作業が正確なものとなる。
【図面の簡単な説明】
【００１２】
【図１】雄カギホックの、（ａ）取付け前、（ｂ）取付け後の斜視図である。
【図２】雌カギホックの、（ａ）取付け前、（ｂ）取付け後の斜視図である。
【図３】雄カギホック取り付け装置の正面図である。
【図４】雄カギホック取り付け装置の平面図である。
【図５】雄カギホック取り付け装置の左側面図である。
【図６】雄カギホック取り付け装置における下座金の搬送路の平面図である。
【図７】（ａ）〜（ｃ）は、雄カギホック取り付け装置における下座金の搬送路に取り付けられた下座金の位置決め機構の各段階を示す側面図である。
【図８】雄カギホック下座金の孔にパイロットピンが挿入され、位置固定されている状態を示す斜視図である。
【図９】雌カギホック取り付け装置の正面図である。
【図１０】雌カギホック取り付け装置の平面図である。
【図１１】雌カギホック取り付け装置の左側面図である。
【図１２】雌カギホック取り付け装置における下座金の搬送路の平面図である。
【図１３】（ａ）〜（ｃ）は、雌カギホック取り付け装置における下座金の搬送路に取り付けられた下座金の位置決め機構の各段階を示す側面図である。
【図１４】雌カギホックの下座金の肩コーナースペースにパイロットピンが挿入され、位置固定されている状態を示す斜視図である。
【発明を実施するための形態】
【００１３】
以下、図面に基づいて、本発明の実施例を説明する。
【実施例１】
【００１４】
雄カギホック取り付け装置を示す図３〜８において、雄体ホルダ２に収容された雄体１１（図１参照)は、雄体搬送シュート３を経て打込み用の作業台４に搬送される。この機構は、本実施例においても従来技術と同様であり、詳細はたとえば実公平７−５４２５４に記載されている。
【００１５】
一方、下座金ホルダ５に収容された下座金１２（図１参照)は、最下部から１枚ずつ取り出されて装置上面の搬送路６に乗せられる。下座金ホルダ５も、従来技術と同様であり、その詳細はたとえば特開２０１０−９０５１０に記載されている。
【００１６】
下座金搬送路６は、図４，図６の平面図に示すように、浅い溝６１が長手方向に形成されている。下座金１２は、下座金ホルダ５最下部から作業台４の打込み位置まで１５枚整列して１枚ずつ駆動装置により、押し出される。駆動装置は例えばエアシリンダ６５であり、最後尾の下座金１２１５を１枚幅ずつ前方へ押しやる。
【００１７】
搬送路６は、下座金の先端側から数えて７枚目１２７と８枚目１２８の間の位置で分断されている。先端側搬送路６２及び作業台４は一体化しており、後端側搬送路６３に対して上下動が可能である。先端側搬送路６２及び作業台４はカギホックの打込み時に打込み圧力により下降し、その圧力がなくなれば下部バネ７により元の高さに復元する。
【００１８】
図７は、雄カギホック取り付け装置における下座金１２の搬送路６に取り付けられた下座金の位置決め機構を示しており、下座金の先端側から７枚目１２７と８枚目１２８の間の位置の側面図である。下座金の位置決めは、搬送路底面に取り付けられたパイロットピン８１，８２の出没により行われる。
【００１９】
図７（ａ）が初期状態である。搬送路６は水平であって、下座金１２は障害なく進行する。先頭の下座金１２１が作業台４の中央に位置し、雄体１１も打込み位置にあり、布地Fが所定位置にセットされたとき（すなわち、準備が完了したとき）、作業員によりフットスイッチ（図示せず）が入れられる。すると、７枚目と８枚目の下座金に対して、パイロットピン８１，８２が駆動装置（例えばエアシリンダ８３，８４）の押し上げにより上昇し、図７（ｂ）及び図８に示すように、下座金１２の中央孔１３（図１参照）に挿入されて、下座金１２の位置が一時的に固定される。
【００２０】
この状態において、作業台４上部のハンマー９が下降し、雄体１１と下座金１２を加圧してかしめる。このとき、先端側搬送路６２及び作業台４は、ハンマー９のよる加圧圧力を緩衝するため、図７（ｃ）に示すように、後端側搬送路６３に対して下降する。下座金１２はそれぞれ位置固定されたままであるため、位置がずれることはない。
【００２１】
かしめ作業が終わると、先端側搬送路６２及び作業台４は、バネ７により元の位置に復帰する。先端側搬送路６２の末端にはストッパー６４が設けられていて、このストッパー６４が後端側搬送路６３と係合するため、前後搬送路６２，６３は水平位置でとどまる。
【００２２】
前後搬送路６２，６３が水平状態になると、パイロットピン８１，８２がエアシリンダ８３，８４の引き下げにより下降し、図７（ａ）の初期状態となる。以降、この作業の繰り返しである。
【実施例２】
【００２３】
雌カギホック取り付け装置は図９〜１４に示されている。雌体ホルダ２Ａに収容された雌体１１Ａは、雌体搬送シュート３Ａを経て打込み用の作業台４Ａに搬送され、作業台４Ａでかしめられることは、雄カギホック取り付け装置とほぼ同様である。従って、同様の部品には実施例１の部品番号と同じ数字に「Ａ」を付して詳細な説明を省略する。
【００２４】
雌カギホック取り付け装置が雄カギホック取り付け装置と異なるのは、雌カギホック１Ａの下座金１２Ａは、図２に示すように、Ｏリング状であって、パイロットピン８１Ａ，８２Ａをその中央に挿入できないことである。そのため、下座金の位置決めのためには、パイロットピンは、図１４に示すように、下座金肩コーナー部にある小さなスペース１５において、上下動させる。
【００２５】
またこの実施例では、搬送路を分断しているのは、下座金の先端側から数えて６枚目１２Ａ６と７枚目１２Ａ７の間である。このように分断する個所や整列させる下座金の数は、絶対的なものではなく、機械の大きさに合わせて適宜設定されるものである。
【先行技術文献】
【特許文献】
【００２６】
【特許文献１】実公平７−５４２５４号
【特許文献２】特開平７−９０７０８号
【特許文献３】特開２０１０−９０５１０
【符号の説明】
【００２７】
１     雄カギホック
１１    雄体
１２   下座金
１３   中央孔
１４    脚部
１Ａ   雌カギホック
１１Ａ  雄体
１２Ａ  下座金
１４Ａ  脚部
１５  肩コーナースペース
２     雄体ホルダ
２Ａ  雌体ホルダ
３     雄体搬送シュート
３Ａ  雌体搬送シュート
４，４Ａ      作業台
５，５Ａ      下座金ホルダ
６，６Ａ      下座金搬送路
６１，６１Ａ  溝
６２，６２Ａ  先端側搬送路
６３   ，６３Ａ    後端側搬送路
６４   ，６４Ａ    ストッパー
７，７Ａ      下部バネ
８１，８２，８１Ａ，８２Ａ  パイロットピン
８３，８４    ，８３Ａ，８３Ａ  エアシリンダ
９，９Ａ      ハンマー
F      布地
【図１】
2012184532.tif 000003
【図２】
2012184532.tif 000004
【図３】
2012184532.tif 000005
【図４】
2012184532.tif 000006
【図５】
2012184532.tif 000007
【図６】
2012184532.tif 000008
【図７】
2012184532.tif 000009
【図８】
2012184532.tif 000010
【図９】
2012184532.tif 000011
【図１０】
2012184532.tif 000012
【図１１】
2012184532.tif 000013
【図１２】
2012184532.tif 000014
【図１３】
2012184532.tif 000015
【図１４】
2012184532.tif 000016